(57)【要約】【課題】充電装置の充電ケーブルを複数にする場合において、コストが増大することを抑える。【解決手段】接続検知線ＤＬ１と通信線ＣＬ１と電力線ＰＬ１とを備える充電コネクタＣ１と、電力線ＰＬ２とを備える充電コネクタＣ２と、接続検知線ＤＬ４に所定の電圧をかける電源部２１と、電池パック２に充電コネクタＣ１が接続されると接続検知線ＤＬ１にかかる電圧を変化させる抵抗Ｒ１、Ｒ３と、電池パック２に充電コネクタＣ２が接続されると接続検知線ＤＬ１にかかる電圧を変化させる抵抗Ｒ２と、接続検知線ＤＬ１にかかる電圧に基づいて、充電コネクタＣ１の他に、充電コネクタＣ２が電池パック２に接続されているか否かを検知する検知部１４とを備えて充電コネクタ接続検知装置を構成する。【選択図】図１
2017175790.tif 000002
【特許請求の範囲】
【請求項１】
充電装置の第１の充電ケーブルの端部に設けられ、接続検知線と、前記充電装置と電池パックとの間の通信に使用される通信線と、前記電池パックへ電力を供給する第１の電力線とを備える第１の充電コネクタと、
前記充電装置の１以上の第２の充電ケーブルの端部にそれぞれ設けられ、前記電池パックへ電力を供給する第２の電力線を備える第２の充電コネクタと、
前記接続検知線に所定の電圧をかける電源部と、
前記電池パックに前記第１の充電コネクタが接続されると、前記接続検知線にかかる電圧を変化させる第１の抵抗と、
前記電池パックに接続される前記第２の充電コネクタの数に応じて、前記接続検知線にかかる電圧を変化させる１以上の第２の抵抗と、
前記接続検知線にかかる電圧に基づいて、前記第１の充電コネクタの他に、前記１以上の第２の充電コネクタの少なくとも１つが前記電池パックに接続されているか否かを検知する検知部と、
を備えることを特徴とする充電コネクタ接続検知装置。
【請求項２】
請求項１に記載の充電コネクタ接続検知装置であって、
前記検知部は、前記充電装置及び前記電池パックにそれぞれ設けられている
ことを特徴とする充電コネクタ接続検知装置。
【請求項３】
請求項１または請求項２に記載の充電コネクタ接続検知装置であって、
前記電源部は、前記接続検知線に接続され、かつ、前記電池パック、及び前記充電装置の一方に備えられ、
前記第２の抵抗と前記接続検知線との接続点は、前記電池パック、及び前記充電装置の他方に備えられる
ことを特徴とする充電コネクタ接続検知装置。
【請求項４】
請求項１〜３の何れか１項に記載の充電コネクタ接続検知装置であって、
前記通信線は、前記第１の充電コネクタのみに備えられる
ことを特徴とする充電コネクタ接続検知装置。
【請求項５】
請求項４に記載の充電コネクタ接続検知装置であって、
前記第１の充電コネクタが接続されると前記充電装置は前記電池パックへ充電を行い、前記第１の充電コネクタが接続されないと前記充電装置は前記電池パックへ充電を行わない
ことを特徴とする充電コネクタ接続検知装置。
【請求項６】
請求項１に記載の充電コネクタ接続検知装置であって、
前記検知部は、前記接続検知線にかかる電圧に基づいて前記第２の充電コネクタの接続数を検知し、前記第２の充電コネクタの接続数に応じて前記充電装置から前記電池パックへ供給する電力量を変える
ことを特徴とする充電コネクタ接続検知装置。
【発明の詳細な説明】
【技術分野】
【０００１】
本発明は、充電コネクタが電池パックに接続されているか否かを検知する充電コネクタ接続検知装置に関する。
【背景技術】
【０００２】
既存の充電コネクタ接続検知装置として、例えば、充電コネクタが電池パックに接続されると、接続検知線にかかる電圧の変化により、充電コネクタが電池パックに接続されているか否かを検知するものがある。例えば、特許文献１、２参照。また、関連する技術として、特許文献３がある。
【０００３】
また、従来、充電装置から充電ケーブルを介して電池パックに供給される電力により電池パックに有する電池を急速充電するには充電ケーブルに流れる電流を増やす必要があり、充電ケーブルに流れる電流を増やすために充電ケーブルを太くする必要がある。
【０００４】
しかしながら、充電ケーブルを太くすると、充電ケーブルが重くなりユーザによる充電ケーブルの操作性が悪くなる。
そこで、充電ケーブルを複数にすることで、充電装置から電池パックに流れる電流を複数の充電ケーブルにより分散させて１本の充電ケーブルあたりに流れる電流を小さくすることにより、充電ケーブルの軽量化を図ることが考えられる。
【先行技術文献】
【特許文献】
【０００５】
【特許文献１】特開２００８−２９８５３６号公報
【特許文献２】特開２０１４−１１７０７０号公報
【特許文献３】特開２０１２−１６２１７６号公報
【発明の概要】
【発明が解決しようとする課題】
【０００６】
しかしながら、充電ケーブルを複数にすると、それら充電ケーブルの端部にそれぞれ設けられる充電コネクタが電池パックに接続されているか否かを検知するための接続検知機能も複数用意する必要があり、その分コストが増大してしまう。
【０００７】
そこで、本発明の一側面に係る目的は、充電装置の充電ケーブルを複数にする場合において、コストが増大することを抑えることが可能な充電コネクタ接続検知装置を提供することを目的とする。
【課題を解決するための手段】
【０００８】
本発明に係る一つの形態である充電コネクタ接続検知装置は、充電装置の第１の充電ケーブルの端部に設けられる第１の充電コネクタと、充電装置の１以上の第２の充電ケーブルの端部にそれぞれ設けられる第２の充電コネクタと、電源部と、第１の抵抗と、１以上の第２の抵抗と、検知部とを備える。
【０００９】
第１の充電コネクタは、接続検知線と、充電装置と電池パックとの間の通信に使用される通信線と、電池パックへ電力を供給する第１の電力線とを備える。
第２の充電コネクタは、電池パックへ電力を供給する第２の電力線を備える。
【００１０】
電源部は、接続検知線に所定の電圧をかける。
第１の抵抗は、電池パックに第１の充電コネクタが接続されると、接続検知線にかかる電圧を変化させる。
【００１１】
第２の抵抗は、電池パックに接続される第２の充電コネクタの数に応じて、接続検知線にかかる電圧を変化させる。
検知部は、接続検知線にかかる電圧に基づいて、第１の充電コネクタの他に、１以上の第２の充電コネクタの少なくとも１つが電池パックに接続されているか否かを検知する。
【発明の効果】
【００１２】
本発明によれば、充電装置の充電ケーブルを複数にする場合において、コストが増大することを抑えることができる。
【図面の簡単な説明】
【００１３】
【図１】実施形態の充電コネクタ接続検知装置を含む充電システムの一例を示す図である。
【図２】接続検知線にかかる電圧の一例を示す図である。
【図３】実施形態の充電コネクタ接続検知装置を含む充電システムの他の例を示す図である。
【図４】接続検知線にかかる電圧の一例を示す図である。
【発明を実施するための形態】
【００１４】
以下図面に基づいて実施形態について詳細を説明する。
図１は、実施形態の充電コネクタ接続検知装置を含む充電システムの一例を示す図である。
【００１５】
図１に示す充電システムでは、充電装置１から少なくとも充電コネクタＣ１を介して電池パック２へ供給される電力により電池パック２に備えられる電池Ｂが充電される。
充電装置１は、充電ケーブルＣａ１（第１の充電ケーブル）と、充電ケーブルＣａ２（第２の充電ケーブル）と、充電ケーブルＣａ１の端部に設けられる充電コネクタＣ１（第１の充電コネクタ）と、充電ケーブルＣａ２の端部に設けられる充電コネクタＣ２（第２の充電コネクタ）と、抵抗Ｒ１（第１の抵抗）と、抵抗Ｒ２（第２の抵抗）と、電力変換部１１、１２と、通信部１３と、検知部１４とを備える。
【００１６】
充電ケーブルＣａ１及び充電コネクタＣ１は、充電コネクタＣ１の接続検知に使用される接続検知線ＤＬ１、ＤＬ２と、充電装置１と電池パック２との間の通信に使用される通信線ＣＬ１と、電池パック２への電力供給に使用される電力線ＰＬ１（第１の電力線）とを備える。
【００１７】
充電ケーブルＣａ２及び充電コネクタＣ２は、充電コネクタＣ２の接続検知に使用される接続検知線ＤＬ３と、電池パック２への電力供給に使用される電力線ＰＬ２（第２の電力線）とを備える。
【００１８】
電力変換部１１、１２は、例えば、ＡＣ−ＤＣコンバータなどにより構成され、商用電源などの電源Ｐから供給される電力を所定の電力に変換する。また、電力変換部１１は、検知部１４において、充電コネクタＣ１が電池パック２に接続されたと検知されると、電池パック２へ充電を行い、検知部１４において、充電コネクタＣ１が電池パック２に接続されないと検知されると、電池パック２へ充電を行わない。また、電力変換部１２は、検知部１４において、充電コネクタＣ１、Ｃ２が電池パック２に接続されたと検知されると、電池パック２へ充電を行い、検知部１４において、充電コネクタＣ１、Ｃ２が電池パック２に接続されないと検知されると、電池パック２へ充電を行わない。なお、電力変換部１１、１２は、１つの電力変換部により構成されてもよい。
【００１９】
抵抗Ｒ１の一方端は接続検知線ＤＬ１及び抵抗Ｒ２の一方端に接続され、抵抗Ｒ１の他方端は接続検知線ＤＬ２及びグランドに接続されている。抵抗Ｒ２の他方端は接続検知線ＤＬ３に接続されている。抵抗Ｒ１は、電池パック２に充電コネクタＣ１が接続されると、接続検知線ＤＬ１及び後述する接続検知線ＤＬ４にかかる電圧を変化させる。抵抗Ｒ２は、電池パック２に充電コネクタＣ１が接続されているとき、電池パック２に充電コネクタＣ２が接続されると、接続検知線ＤＬ１、ＤＬ４にかかる電圧を変化させる。
【００２０】
通信部１３は、例えば、ＣＰＵ（Central Processing Unit）やプログラマブルディバイス（ＦＰＧＡ（Field Programmable Gate Array）またはＰＬＤ（Programmable Logic Device））により構成され、少なくとも充電コネクタＣ１が電池パック２に接続されているとき、電池パック２との間で通信を行う。
【００２１】
検知部１４は、例えば、ＣＰＵやプログラマブルディバイスにより構成され、接続検知線ＤＬ１にかかる電圧に基づいて、充電コネクタＣ１が電池パック２に接続されているか否か、及び、充電コネクタＣ１の他に、充電コネクタＣ２が電池パック２に接続されているか否かを検知する。すなわち、検知部１４は、接続検知線ＤＬ１にかかる電圧に基づいて、少なくとも充電コネクタＣ１が電池パック２に接続されているか否かを検知する。
【００２２】
電池パック２は、電池Ｂと、インレットＩｎ１と、インレットＩｎ２と、抵抗Ｒ３（第１の抵抗）と、電源部２１と、通信部２２と、検知部２３とを備える。なお、充電コネクタ接続検知装置は、例えば、第１の充電コネクタとしての充電コネクタＣ１と、第２の充電コネクタとしての充電コネクタＣ２と、電源部２１と、第１の抵抗としての抵抗Ｒ１、Ｒ３と、第２の抵抗としての抵抗Ｒ２と、検知部１４または／及び検知部２３とを備えて構成されるものとする。
【００２３】
電池Ｂは、例えば、複数のリチウムイオン電池により構成される。
インレットＩｎ１は、充電コネクタＣ１の接続検知に使用される接続検知線ＤＬ４、ＤＬ５と、充電装置１と電池パック２との間の通信に使用される通信線ＣＬ２と、電池Ｂへの電力供給に使用される電力線ＰＬ３とを備える。なお、接続検知線ＤＬ５は、グランドに接続されている。
【００２４】
インレットＩｎ１に充電コネクタＣ１が接続されると、電力線ＰＬ１と電力線ＰＬ３が電気的に接続される。このとき、電力変換部１１から電力が出力されると、その電力により電池Ｂが充電される。また、インレットＩｎ１に充電コネクタＣ１が接続されると、通信線ＣＬ１と通信線ＣＬ２が電気的に接続される。このとき、通信線ＣＬ１、ＣＬ２を介して通信部１３と通信部２２との間で通信が可能になる。また、インレットＩｎ１に充電コネクタＣ１が接続されると、接続検知線ＤＬ１と接続検知線ＤＬ４が電気的に接続されるとともに、接続検知線ＤＬ２と接続検知線ＤＬ５が電気的に接続される。
【００２５】
インレットＩｎ２は、充電コネクタＣ２の接続検知に使用される接続検知線ＤＬ６と、電池Ｂへの電力供給に使用される電力線ＰＬ４とを備える。なお、接続検知線ＤＬ６は、グランドに接続されている。
【００２６】
インレットＩｎ２に充電コネクタＣ２が接続されると、電力線ＰＬ２と電力線ＰＬ４が電気的に接続される。このとき、電力変換部１２から電力が出力されると、その電力により電池Ｂが充電される。また、インレットＩｎ２に充電コネクタＣ２が接続されると、接続検知線ＤＬ３と接続検知線ＤＬ６が電気的に接続される。
【００２７】
抵抗Ｒ３は、電源部２１と接続検知線ＤＬ４との間に接続されている。
電源部２１は、例えば、ＤＣ−ＤＣコンバータにより構成され、抵抗Ｒ３を介して接続検知線ＤＬ４に所定の電圧をかける。
【００２８】
通信部２２は、例えば、ＣＰＵやプログラマブルディバイスにより構成され、少なくとも充電コネクタＣ１が電池パック２に接続されているとき、通信部１３との間で通信を行う。
【００２９】
検知部２３は、例えば、ＣＰＵやプログラマブルディバイスにより構成され、接続検知線ＤＬ４にかかる電圧に基づいて、充電コネクタＣ１が電池パック２に接続されているか否か、及び、充電コネクタＣ１の他に、充電コネクタＣ２が電池パック２に接続されているか否かを検知する。すなわち、検知部２３は、接続検知線ＤＬ４にかかる電圧に基づいて、少なくとも充電コネクタＣ１が電池パック２に接続されているか否かを検知する。
【００３０】
図２（ａ）は、図１に示す実施形態において接続検知線ＤＬ１にかかる電圧の一例を示し、図２（ｂ）は、図１に示す実施形態において接続検知線ＤＬ４にかかる電圧の一例を示している。なお、Ｖ１＜Ｖ２＜Ｖ３とする。
【００３１】
充電コネクタＣ１が電池パック２（インレットＩｎ１）に接続されていないときで、かつ、充電コネクタＣ２が電池パック２（インレットＩｎ２）に接続されていないとき（ｔ０からｔ１までの時間）、または、充電コネクタＣ１が電池パック２（インレットＩｎ１）に接続されていないときで、かつ、充電コネクタＣ２が電池パック２（インレットＩｎ２）に接続されているとき（ｔ３からｔ４までの時間）、接続検知線ＤＬ１には電圧がかからず、接続検知線ＤＬ４には電源部２１から出力され抵抗Ｒ３により降下した電圧（Ｖ３）がかかる。
【００３２】
充電コネクタＣ１が電池パック２（インレットＩｎ１）に接続されているときで、かつ、充電コネクタＣ２が電池パック２（インレットＩｎ２）に接続されていないとき（ｔ１からｔ２までの時間）、接続検知線ＤＬ１及び接続検知線ＤＬ４にはそれぞれ電源部２１から出力され抵抗Ｒ１、Ｒ３により分圧された電圧（Ｖ２）がかかる。
【００３３】
充電コネクタＣ１が電池パック２（インレットＩｎ１）に接続されているときで、かつ、充電コネクタＣ２が電池パック２（インレットＩｎ２）に接続されているとき（ｔ２からｔ３までの時間）、接続検知線ＤＬ１及び接続検知線ＤＬ４にはそれぞれ電源部２１から出力され抵抗Ｒ１、Ｒ２、Ｒ３により分圧された電圧（Ｖ１）がかかる。なお、充電コネクタＣ１、Ｃ２の接続の順序は限定されない。
【００３４】
すなわち、充電装置１の検知部１４は、接続検知線ＤＬ１にかかる電圧が０［Ｖ］であるとき、充電コネクタＣ１、Ｃ２が電池パック２に接続されていないこと、及び、充電コネクタＣ２のみが電池パック２に接続されていることの何れかであることを検知する。また、検知部１４は、接続検知線ＤＬ１にかかる電圧がＶ２であるとき、充電コネクタＣ１のみが電池パック２に接続されていることを検知する。また、検知部１４は、接続検知線ＤＬ１にかかる電圧がＶ１であるとき、充電コネクタＣ１、Ｃ２が電池パック２に接続されていることを検知する。
【００３５】
また、電池パック２の検知部２３は、接続検知線ＤＬ４にかかる電圧がＶ３であるとき、充電コネクタＣ１、Ｃ２が電池パック２に接続されていないこと、及び、充電コネクタＣ２のみが電池パック２に接続されていることの何れかであることを検知する。また、検知部２３は、接続検知線ＤＬ４にかかる電圧がＶ２であるとき、充電コネクタＣ１のみが電池パック２に接続されていることを検知する。また、検知部２３は、接続検知線ＤＬ４にかかる電圧がＶ１であるとき、充電コネクタＣ１、Ｃ２が電池パック２に接続されていることを検知する。
【００３６】
このように図１及び図２に示す実施形態では、充電装置１が複数の充電ケーブルＣａ１、Ｃａ２を備えているため、それら充電ケーブルＣａ１、Ｃａ２により電池パック２に供給する電力を分散することができるため、１本の充電ケーブルのみが充電装置に備えられている場合に比べて、充電ケーブル１本あたりに流れる電流を小さくすることができる。そのため、充電ケーブルＣａ１、Ｃａ２を細くして、充電ケーブルＣａ１、Ｃａ２を軽くすることができ、ユーザによる充電ケーブルＣａ１、Ｃａ２の操作性を向上させることができる。
【００３７】
また、図１及び図２に示す実施形態では、充電装置１において複数の充電ケーブルＣａ１、Ｃａ２に対して検知部１４を１つ備え、電池パック２において複数の充電ケーブルＣａ１、Ｃａ２に対して検知部２３を１つ備えているため、充電装置において複数の充電ケーブルに対してそれぞれ検知部を備え、電池パックにおいて複数の充電ケーブルに対してそれぞれ検知部を備える場合に比べて、検知部の数を減らすことができ、その分コストの増大を抑えることができる。また、検知部が充電装置１及び電池パック２にそれぞれ設けられているので、充電装置１及び電池パック２がそれぞれ接続状態を同時に検知できる。
【００３８】
図３は、実施形態の充電コネクタ接続検知装置を含む充電システムの他の例を示す図である。なお、図３において、図１に示す構成と同じ構成には同じ符号を付し、その説明を省略する。
【００３９】
図３において、図１に示す構成と異なる点は、充電ケーブルＣａ３（第２の充電ケーブル）と、充電ケーブルＣａ３の端部に設けられる充電コネクタＣ３(第２の充電コネクタ)と、抵抗Ｒ４（第２の抵抗）と、電力変換部１５とを充電装置１にさらに備え、充電コネクタＣ３と接続されるインレットＩｎ３を電池パック２にさらに備えている点である。すなわち、充電装置１は、複数の第２の充電ケーブルと、複数の第２の充電コネクタと、複数の第２の抵抗とを備えている。
【００４０】
充電ケーブルＣａ３及び充電コネクタＣ３は、充電コネクタＣ３の接続検知に使用される接続検知線ＤＬ７と、電池パック２への電力供給に使用される電力線ＰＬ５（第２の電力線）とを備える。
【００４１】
抵抗Ｒ４の一方端は接続検知線ＤＬ１、抵抗Ｒ１の一方端、及び抵抗Ｒ２の一方端に接続され、抵抗Ｒ４の他方端は接続検知線ＤＬ７に接続されている。抵抗Ｒ４は、電池パック２に充電コネクタＣ１が接続されているとき、電池パック２に充電コネクタＣ３が接続されると、接続検知線ＤＬ１、ＤＬ４にかかる電圧を変化させる。
【００４２】
電力変換部１５は、例えば、ＡＣ−ＤＣコンバータなどに構成され、電源Ｐから供給される電力を所定の電力に変換する。また、電力変換部１５は、検知部１４において、充電コネクタＣ１、Ｃ３が電池パック２に接続されたと検知されると、電池パック２へ充電を行い、検知部１４において、充電コネクタＣ１、Ｃ３が電池パック２に接続されないと検知されると、電池パック２へ充電を行わない。なお、電力変換部１１、１２、１５は、１つの電力変換部により構成されてもよい。
【００４３】
インレットＩｎ３は、充電コネクタＣ３の接続検知に使用される接続検知線ＤＬ８と、電池Ｂへの電力供給に使用される電力線ＰＬ６とを備える。なお、接続検知線ＤＬ８は、グランドに接続されている。
【００４４】
インレットＩｎ３に充電コネクタＣ３が接続されると、電力線ＰＬ５と電力線ＰＬ６が電気的に接続される。このとき、電力変換部１５から電力が出力されると、その電力により電池Ｂが充電される。また、インレットＩｎ３に充電コネクタＣ３が接続されると、接続検知線ＤＬ７と接続検知線ＤＬ８が電気的に接続される。
【００４５】
図４（ａ）は、図３に示す実施形態において接続検知線ＤＬ１にかかる電圧の一例を示し、図４（ｂ）は、図３に示す実施形態において接続検知線ＤＬ４にかかる電圧の一例を示している。なお、Ｖ０＜Ｖ１＜Ｖ１５＜Ｖ２＜Ｖ３とする。
【００４６】
充電コネクタＣ１が電池パック２（インレットＩｎ１）に接続されていないときで、かつ、充電コネクタＣ２が電池パック２（インレットＩｎ２）に接続されていないときで、かつ、充電コネクタＣ３が電池パック２（インレットＩｎ３）に接続されていないとき（ｔ０からｔ１までの時間）、接続検知線ＤＬ１には電圧がかからず、接続検知線ＤＬ４には電源部２１から出力され抵抗Ｒ３により降下した電圧（Ｖ３）がかかる。
【００４７】
充電コネクタＣ１が電池パック２（インレットＩｎ１）に接続されているときで、かつ、充電コネクタＣ２が電池パック２（インレットＩｎ２）に接続されていないときで、かつ、充電コネクタＣ３が電池パック２（インレットＩｎ３）に接続されていないとき（ｔ１からｔ２までの時間）、接続検知線ＤＬ１及び接続検知線ＤＬ４にはそれぞれ電源部２１から出力され抵抗Ｒ１、Ｒ３により分圧された電圧（Ｖ２）がかかる。
【００４８】
充電コネクタＣ１が電池パック２（インレットＩｎ１）に接続されているときで、かつ、充電コネクタＣ２が電池パック２（インレットＩｎ２）に接続されているときで、かつ、充電コネクタＣ３が電池パック２（インレットＩｎ３）に接続されていないとき（ｔ２からｔ３までの時間）、接続検知線ＤＬ１及び接続検知線ＤＬ４にはそれぞれ電源部２１から出力され抵抗Ｒ１、Ｒ２、Ｒ３により分圧された電圧（Ｖ２）がかかる。
【００４９】
充電コネクタＣ１が電池パック２（インレットＩｎ１）に接続されているときで、かつ、充電コネクタＣ２が電池パック２（インレットＩｎ２）に接続されているときで、かつ、充電コネクタＣ３が電池パック２（インレットＩｎ３）に接続されているとき（ｔ３からｔ４までの時間）、接続検知線ＤＬ１及び接続検知線ＤＬ４にはそれぞれ電源部２１から出力され抵抗Ｒ１、Ｒ２、Ｒ３、Ｒ４により分圧された電圧（Ｖ０）がかかる。
【００５０】
充電コネクタＣ１が電池パック２（インレットＩｎ１）に接続されていないときで、かつ、充電コネクタＣ２が電池パック２（インレットＩｎ２）に接続されているときで、かつ、充電コネクタＣ３が電池パック２（インレットＩｎ３）に接続されていないとき（ｔ４からｔ５までの時間）、接続検知線ＤＬ１には電圧がかからず、接続検知線ＤＬ４には電源部２１から出力され抵抗Ｒ３により降下した電圧（Ｖ３）がかかる。
【００５１】
充電コネクタＣ１が電池パック２（インレットＩｎ１）に接続されていないときで、かつ、充電コネクタＣ２が電池パック２（インレットＩｎ２）に接続されていないときで、かつ、充電コネクタＣ３が電池パック２（インレットＩｎ３）に接続されているとき（ｔ５からｔ６までの時間）、接続検知線ＤＬ１には電圧がかからず、接続検知線ＤＬ４には電源部２１から出力され抵抗Ｒ３により降下した電圧（Ｖ３）がかかる。
【００５２】
充電コネクタＣ１が電池パック２（インレットＩｎ１）に接続されていないときで、かつ、充電コネクタＣ２が電池パック２（インレットＩｎ２）に接続されているときで、かつ、充電コネクタＣ３が電池パック２（インレットＩｎ３）に接続されているとき（ｔ６からｔ７までの時間）、接続検知線ＤＬ１には電圧がかからず、接続検知線ＤＬ４には電源部２１から出力され抵抗Ｒ３により降下した電圧（Ｖ３）がかかる。
【００５３】
充電コネクタＣ１が電池パック２（インレットＩｎ１）に接続されているときで、かつ、充電コネクタＣ２が電池パック２（インレットＩｎ２）に接続されていないときで、かつ、充電コネクタＣ３が電池パック２（インレットＩｎ３）に接続されているとき（ｔ７からｔ８までの時間）、接続検知線ＤＬ１及び接続検知線ＤＬ４にはそれぞれ電源部２１から出力され抵抗Ｒ１、Ｒ３、Ｒ４により分圧された電圧（Ｖ１５）がかかる。なお、充電コネクタＣ１、Ｃ２、Ｃ３の接続の順序は限定はされない。
【００５４】
すなわち、充電装置１の検知部１４は、接続検知線ＤＬ１にかかる電圧が０［Ｖ］であるとき、充電コネクタＣ１、Ｃ２、Ｃ３が電池パック２に接続されていないこと、充電コネクタＣ２のみが電池パック２に接続されていること、充電コネクタＣ３のみが電池パック２に接続されていること、及び、充電コネクタＣ２、Ｃ３のみが電池パック２に接続されていることの何れかであることを検知する。また、検知部１４は、接続検知線ＤＬ１にかかる電圧がＶ２であるとき、充電コネクタＣ１のみが電池パック２に接続されていることを検知する。また、検知部１４は、接続検知線ＤＬ１にかかる電圧がＶ１であるとき、充電コネクタＣ１、Ｃ２が電池パック２に接続されていることを検知する。また、検知部１４は、接続検知線ＤＬ１にかかる電圧がＶ０であるとき、充電コネクタＣ１、Ｃ２、Ｃ３が電池パック２に接続されていることを検知する。また、検知部１４は、接続検知線ＤＬ１にかかる電圧がＶ１５であるとき、充電コネクタＣ１、Ｃ３が電池パック２に接続されていることを検知する。このように、図３に示す検知部１４は、接続検知線ＤＬ１にかかる電圧に基づいて、充電コネクタＣ１が電池パック２に接続されているか否か、及び、充電コネクタＣ１の他に、充電コネクタＣ２、Ｃ３の少なくとも１つが電池パック２に接続されているか否かを検知する。すなわち、図３に示す検知部１４は、接続検知線ＤＬ１にかかる電圧に基づいて、少なくとも充電コネクタＣ１が電池パック２に接続されているか否かを検知する。
【００５５】
また、電池パック２の検知部２３は、接続検知線ＤＬ４にかかる電圧がＶ３であるとき、充電コネクタＣ１、Ｃ２、Ｃ３が電池パック２に接続されていないこと、充電コネクタＣ２のみが電池パック２に接続されていること、充電コネクタＣ３のみが電池パック２に接続されていること、及び、充電コネクタＣ２、Ｃ３のみが電池パック２に接続されていることの何れかであることを検知する。また、検知部２３は、接続検知線ＤＬ４にかかる電圧がＶ２であるとき、充電コネクタＣ１のみが電池パック２に接続されていることを検知する。また、検知部２３は、接続検知線ＤＬ４にかかる電圧がＶ１であるとき、充電コネクタＣ１、Ｃ２が電池パック２に接続されていることを検知する。また、検知部２３は、接続検知線ＤＬ４にかかる電圧がＶ０であるとき、充電コネクタＣ１、Ｃ２、Ｃ３が電池パック２に接続されていることを検知する。また、検知部２３は、接続検知線ＤＬ４にかかる電圧がＶ１５であるとき、充電コネクタＣ１、Ｃ３が電池パック２に接続されていることを検知する。このように、図３に示す検知部２３は、接続検知線ＤＬ４にかかる電圧に基づいて、充電コネクタＣ１が電池パック２に接続されているか否か、及び、充電コネクタＣ１の他に、充電コネクタＣ２、Ｃ３の少なくとも１つが電池パック２に接続されているか否かを検知する。すなわち、図３に示す検知部２３は、接続検知線ＤＬ４にかかる電圧に基づいて、少なくとも充電コネクタＣ１が電池パック２に接続されているか否かを検知する。
【００５６】
このように図３及び図４に示す実施形態では、図１及び図２に示す実施形態に比べて、充電ケーブルを増やしているため、充電ケーブル１本あたりに流れる電流をさらに小さくすることができ、ユーザによる充電ケーブルの操作性をさらに向上させることができる。
【００５７】
また、図３及び図４に示す実施形態では、充電ケーブルを増やしても、検知部の数を増加させないようにすることができるため、コストの増大を抑えることができる。
また、本発明は、以上の実施の形態に限定されるものでなく、本発明の要旨を逸脱しない範囲内で種々の改良、変更が可能である。
【００５８】
例えば、電源部２１を充電装置１のみに備え、電源部２１から抵抗Ｒ３を介して接続検知線ＤＬ１に所定の電圧をかけるように構成してもよい。このように、電源部２１を充電装置１のみに備える場合では、第１の抵抗（抵抗Ｒ１）及び第２の抵抗（抵抗Ｒ２や抵抗Ｒ４）のうち、少なくとも第２の抵抗を電池パック２に備え、第２の抵抗と接続検知線ＤＬ４との接続点を電池パック２に備えるように構成する。すなわち、電源部２１が電池パック２、及び充電装置１の一方に備えられ、第２の抵抗と接続検知線との接続点が、電池パック２、及び充電装置１の他方に備えられるように構成することで、充電コネクタＣ２や充電コネクタＣ３のみが電池パック２に接続された場合に接続検知線ＤＬ１、ＤＬ４にかかる電圧を変化させないようにすることができる。そのため、少なくとも充電コネクタＣ１が電池パック２に接続されたときの接続検知線ＤＬ１、ＤＬ４にかかる電圧と、充電コネクタＣ２や充電コネクタＣ３のみが電池パック２に接続されたときの接続検知線ＤＬ１、ＤＬ４にかかる電圧とを大きく異ならせることができる。これにより、少なくとも充電コネクタＣ１が電池パック２に接続されているか否かの検知処理に対して、誤検知を減らすことができ、検知精度を上げることができる。
【００５９】
また、検知部１４は、接続検知線ＤＬ１にかかる電圧に基づいて第２の充電コネクタの接続数を検知し、その第２の充電コネクタの接続数に応じて充電装置１から電池パック２へ供給する電力量を変えるように構成してもよい。
【符号の説明】
【００６０】
１  充電装置
２  電池パック
１１、１２、１５  電力変換部
１３  通信部
１４、２３  検知部
２１  電源部
２２  通信部
Ｒ１〜Ｒ４  抵抗
ＰＬ１〜ＰＬ６  電力線
ＣＬ１、ＣＬ２  通信線
ＤＬ１〜ＤＬ８  接続検知線
Ｐ  電源
Ｂ  電池
Ｃａ１〜Ｃａ３  充電ケーブル
Ｃ１〜Ｃ３  充電コネクタ
Ｉｎ１〜Ｉｎ３  インレット
【図１】
2017175790.tif 000003
【図２】
2017175790.tif 000004
【図３】
2017175790.tif 000005
【図４】
2017175790.tif 000006